(57)【要約】      （修正有）【課題】予めｉＬＩＮＫ録画機器が選択されていないことが原因で予約が失敗することを防止する。【解決手段】機器認識処理が開始されると、ＩＥＥＥ１３９４インターフェイス部によってテレビジョン受信装置に接続されている全てのiＬＩＮＫ録画機器を認識する。登録機器リストの内容と機器認識結果とを比較し、いままで接続されていた機器が外されたことを検出すると、外された機器を登録機器リストから削除する。機器が外されたことが検出されなければ、登録機器リストの内容と機器認識結果を比較し、新たな機器が接続されたか否かを判定する。新たな機器が接続されると、ｉＬＩＮＫ録画機器が選択済みであるか否かを判定する。選択済みである場合には、新たに接続されたと判定された機器を登録機器リストに登録し、選択済み機器でない場合には新たに接続された機器を登録機器リストに登録し、新たに接続された機器をｉＬＩＮＫ録画機器として選択する。【選択図】図１０
2009225185.tif 000002
【特許請求の範囲】
【請求項１】
インターフェイス部を介して録画機器と接続されるデジタル放送受信装置であって、
接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置において、
予め機器が選択されていない状態において、前記接続機器認識部が機器を認識した場合に、該認識された機器を、録画を実行する機器として自動的に選択することを特徴とするデジタル放送受信装置。
【請求項２】
ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置において、
予め機器が選択されていないか否かを判定し、予め機器が選択されていない状態において前記接続機器認識部が機器を認識した場合に、該認識された機器を、録画を実行する機器として自動的に選択することを特徴とするデジタル放送受信装置。
【請求項３】
さらに、機器接続後に、接続された機器が録画用の機器である場合のみ、予め機器が選択されていない状態か否かを判定する処理に進むことを特徴とする請求項２に記載のデジタル放送受信装置。
【請求項４】
さらに、予め機器が選択されていない状態か否かにかかわらず、接続された機器を登録する処理を行うことを特徴とする請求項２又は３に記載のデジタル放送受信装置。
【請求項５】
ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置において、
認識されている機器が無い状態において、前記接続機器認識部が機器を認識した場合に、該認識された機器を、録画を実行する機器として自動的に選択することを特徴とするデジタル放送受信装置。
【請求項６】
さらに、機器接続後に、接続された機器が録画用の機器である場合のみ、予め録画用の機器が選択されていない状態か否かを判定する処理に進むことを特徴とする請求項５に記載のデジタル放送受信装置。
【請求項７】
さらに、予め機器が選択されていない状態か否かにかかわらず、接続された機器を登録する処理を行うことを特徴とする請求項５又は６に記載のデジタル放送受信装置。
【請求項８】
ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置において、
登録機器リストが空でないか、或いは、選択機器リストが選択済みであるか、のいずれか一方のみの条件さえ満たせば、新たに接続された機器を登録機器リストに登録させることにより機器を認識させる制御を行うことを特徴とするデジタル放送受信装置。
【請求項９】
さらに、機器接続後に、接続された機器が録画用の機器である場合のみ、録画用の機器が１以上認識されているか否かを判定し、認識されていない場合は、新たに接続された機器を録画用の機器として処理することを特徴とする請求項８に記載のデジタル放送受信装置。
【請求項１０】
さらに、予め機器が選択されていない状態か否かにかかわらず、接続された機器を登録する処理を行うことを特徴とする請求項８又は９に記載のデジタル放送受信装置。
【請求項１１】
ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置における録画機器選択方法であって、
予め機器が選択されているか否かを判定するステップと、
予め機器が選択されていない状態において前記接続機器認識部が機器を認識した場合に、該認識された機器を録画を実行する機器として自動的に選択するステップと
を有することを特徴とする録画機器選択方法。
【請求項１２】
ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置における録画機器選択方法であって、
認識されている機器が無い状態において、前記接続機器認識部が機器を認識した場合に、該認識された機器を録画を実行する機器として自動的に選択するステップを有することを特徴とする録画機器選択方法。
【請求項１３】
ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置における録画機器選択方法であって、
登録機器リストが空でないか、或いは、選択機器リストが選択済みであるか、のいずれか一方のみの条件さえ満たせば、新たに接続された機器を登録機器リストに登録させることにより機器を認識させる制御を行うステップを有することを特徴とする録画機器選択方法。
【請求項１４】
請求項１１から１３までのいずれか１項に記載の方法をコンピュータに実行させるためのプログラム。
【請求項１５】
請求項１４に記載のプログラムを記録するコンピュータ読み取り可能な記録媒体。
【発明の詳細な説明】
【技術分野】
【０００１】
本発明は、デジタル放送受信装置に関し、特に、ＩＥＥＥ１３９４規格等によりデジタル放送受信装置に接続された録画機器の選択技術に関する。
【背景技術】
【０００２】
近年、デジタル放送の普及に伴い、多くのデジタル放送受信装置が使用されるようになってきている。また、デジタル放送受信装置を主体とした機器の接続システムも多く利用されている。例えば、特許文献１では、装置本体との電源と電源を連動させるべき接続機器を登録する接続機器登録管理部と、接続機器登録管理部によって特定された接続機器の電源を制御する接続機器電源制御部と、記録再生装置に対して、常に録画可能な状態を維持させるコマンドを出力する接続機器情報通信部とを有するシステムが開示されている。このようにすることで、録画ミスを防止することができる。また、下記非特許文献１・２には、地上デジタルハイビジョン液晶テレビにおける機器接続に関する記載がある。
【０００３】
ところで、ＩＥＥＥ１３９４規格等によりデジタル放送受信装置に接続された録画機器（以下、「ｉＬＩＮＫ機器」と称する。）に録画予約などの処理をする場合において、録画予約処理とは別にバックグラウンドにおいて、機器の認識処理が行われている。図１６は、一般的な機器の認識処理の流れを示すフローチャート図である。
【０００４】
図１６に示すように、ｉＬＩＮＫ機器の認識処理が開始されると（ステップＳ１５１）、デジタル放送受信装置に設けられている機器認識部が、接続されているｉＬＩＮＫ機器を認識する（ステップＳ１５２）。ここで、デジタル放送受信装置に接続されているｉＬＩＮＫ機器が機器接続監視部により外されたことが検出されると（ステップＳ１５３でＹｅｓ）、ステップＳ１５４に進み、接続が外されたｉＬＩＮＫ機器を、デジタル放送受信装置内のメモリに記憶されている接続機器リストから削除し、ステップＳ１５２に戻り、機器の接続に関する監視（検出）処理を継続する。
【０００５】
接続が外されたｉＬＩＮＫ機器がない場合には（ＮＯ）、ステップＳ１５５に進み、機器接続監視部が、新たに機器が接続されたか否かを検出する。検出されない場合（ＮＯ）には、ステップＳ１５２に戻り、機器の接続に関する監視（検出）処理を継続する。検出された場合（ＹＥＳ）には、ステップＳ１５６に進み、新たに接続された機器を、接続機器リストに登録し、ステップＳ１５２に戻る。
【０００６】
以上のような機器認識処理をバックグラウンドで行い、接続機器リストに追加したり削除したりすることにより、ｉＬＩＮＫ機器の接続、接続されているｉＬＩＮＫ機器の取り外しに関する認識処理を行い、接続・取り外しに対応することができる。
【０００７】
【特許文献１】特開２００７−４３６２４号公報
【非特許文献１】品名：地上デジタルハイビジョン液晶テレビ、型番：LC-37AD1、発表日：2003.6.17、リリース記事：http://www.sharp.co.jp/corporate/news/0306html、技術情報掲載記事：Technical Journal No.20 -通巻88号- （2004年4月）、要旨：http://www.sharp.co.jp/corporate/rd/23/23-4-5a.html、（PDF版：http://www.sharp.co.jp/corporate/rd/23/pdf/88-13.pdf）
【非特許文献２】取扱説明書：http://www.sharp.co.jp/support/aquos/doc/lc37ad1_ope.pdf    液晶カラーテレビLC-37AD1 取扱説明書（操作編）94ページ「BS・110度CSデジタル放送を楽しむ」「電子番組表（EPG）から番組を予約する（つづき）」「録画予約」「ｉＬＩＮＫ予約するとき」
【発明の開示】
【発明が解決しようとする課題】
【０００８】
しかしながら、上記に記載の技術を用いても、ｉＬＩＮＫ機器による録画予約実行時に、あらかじめ選択されているｉＬＩＮＫ録画機器を用いてｉＬＩＮＫ録画を行うデジタル放送受信装置において、あらかじめｉＬＩＮＫ録画機器を選択していない状態で予約登録ができてしまうため、予約実行時までにあらかじめ録画機器を選択しておかないとこれが原因で予約録画処理が失敗してしまうという問題があった。
【０００９】
本発明の目的は、予めｉＬＩＮＫ録画機器が選択されていないことが原因で予約が失敗することを防止することである。
【課題を解決するための手段】
【００１０】
本発明の一観点によれば、インターフェイス部を介して録画機器と接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置において、予め機器が選択されていない状態において、前記接続機器認識部が機器を認識した場合に、該認識された機器を、録画を実行する機器として自動的に選択することを特徴とするデジタル放送受信装置が提供される。また、ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置において、予め機器が選択されていないか否かを判定し、予め機器が選択されていない状態において前記接続機器認識部が機器を認識した場合に、該認識された機器を、録画を実行する機器として自動的に選択することを特徴とするデジタル放送受信装置が提供される。
【００１１】
これから録画をしようとする前に録画機器の接続が検出されると、検出された録画機器により録画が予定されている蓋然性が高い。そこで、録画機器の選択がされていない場合には、当該録画機器を録画用の機器として自動的に選択する。これにより、新たに録画機器を接続して予約録画をする際に、録画機器の選択を意識的に行わなくても、新たな録画機器により録画を行うことに成功する。
【００１２】
さらに、機器接続後に、接続された機器が録画用の機器である場合のみ、予め機器が選択されていない状態か否かを判定し、認識されている場合に新たに接続された機器を録画用機器とする処理に進むことが好ましい。さらに、予め機器が選択されていない状態か否かにかかわらず、接続された機器を登録する処理を行うことが好ましい。
【００１３】
また、ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置において、認識されている機器が無い状態において、前記接続機器認識部が機器を認識した場合に、該認識された機器を、録画を実行する機器として自動的に選択することを特徴とするデジタル放送受信装置が提供される。
【００１４】
これから録画をしようとする前に録画機器の接続が検出されると、検出された録画機器により録画が予定されている蓋然性が高い。そこで、認識されている機器がない場合には、当該録画機器を登録した後に、録画用の機器として自動的に選択する。これにより、新たに録画機器を接続して予約録画をする際に、録画機器の選択を意識的に行わなくても、新たな録画機器により録画を行うことに成功する。
【００１５】
さらに、機器接続後に、接続された機器が録画用の機器である場合のみ、予め録画用の機器が選択されていない状態か否かを判定する処理に進むことが好ましい。さらに、予め機器が選択されていない状態か否かにかかわらず、接続された機器を登録する処理を行うことが好ましい。
【００１６】
さらに、ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置において、登録機器リストが空でないか、或いは、選択機器リストが選択済みであるか、のいずれか一方のみの条件さえ満たせば、新たに接続された機器を登録機器リストに登録させることにより機器を認識させる制御を行うことを特徴とするデジタル放送受信装置が提供される。
【００１７】
登録されている機器も選択されている機器もない場合でも、これから録画をしようとする前に録画機器の接続が検出されると、検出された録画機器により録画が予定されている蓋然性が高いため、当該録画機器を登録した後に、録画用の機器として自動的に選択する。これにより、新たに録画機器を接続して予約録画をする際に、録画機器の選択を意識的に行わなくても、新たな録画機器により録画を行うことに成功する。
【００１８】
さらに、機器接続後に、接続された機器が録画用の機器である場合のみ、録画用の機器が１以上認識されているか否かを判定する処理に進むことが好ましい。さらに、予め機器が選択されていない状態か否かにかかわらず、接続された機器を登録する処理を行うことが好ましい。
【００１９】
本発明の他の観点によれば、ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置における録画機器選択方法であって、予め機器が選択されていないか否かを判定するステップと、予め機器が選択されていない状態において前記接続機器認識部が機器を認識した場合に、該認識された機器を録画を実行する機器として自動的に選択するステップと、を有することを特徴とする録画機器選択方法が提供される。
【００２０】
ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置における録画機器選択方法であって、認識されている機器が無い状態において、前記接続機器認識部が機器を認識した場合に、該認識された機器を、録画を実行する機器として自動的に選択するステップを有することが好ましい。
【００２１】
また、ｉＬＩＮＫ接続インターフェイス部を介して録画機器とｉＬＩＮＫ接続されるデジタル放送受信装置であって、接続されている機器を認識する接続機器認識部と、該接続機器認識部により認識された機器の中から使用する機器を予め選択することができる機器選択部と、を備え、録画予約実行時に、前記機器選択部により予め選択されている機器を用いて録画を行うデジタル放送受信装置における録画機器選択方法であって、登録機器リストが空でないか、或いは、選択機器リストが選択済みであるか、のいずれか一方のみの条件さえ満たせば、新たに接続された機器を登録機器リストに登録させることにより機器を認識させる制御を行うステップを有することを特徴とする録画機器選択方法が提供される。
【００２２】
本発明は、上記の方法をコンピュータに実行させるためのプログラムであっても良く、そのプログラムを記録するコンピュータ読み取り可能な記録媒体であっても良い。プログラムは、伝送媒体から取得できるようになっていても良い。
【発明の効果】
【００２３】
本発明によれば、デジタル放送受信装置において、予め機器が選択されていない状態において機器の接続が認識された場合に、この接続された機器を自動的に録画予約に用いる機器として選択する処理を予め行うことにより、予約実行時までに機器を接続しておけば、予約実行時には必ず機器があらかじめ選択されている状態になり、あらかじめ機器が選択されていないことが原因で予約に失敗することがなくなるという効果を発揮する。
【００２４】
また、本発明によれば、デジタル放送受信装置において、予め機器が認識されていない状態の中で機器の接続が認識された場合に、この機器を自動的にあらかじめ選択するので、予約実行時までに機器を接続しておけば、予約実行時には必ず機器があらかじめ選択されている状態になり、あらかじめ機器が選択されていないことが原因で予約失敗しなくなるという効果を発揮する。
【００２５】
また、本発明によれば、デジタル放送受信装置において、予め機器が認識されているか、又は、選択されている状態のなかで機器の接続が認識された場合に、この機器を登録機器リストに登録する処理のみを行うことから、当初の意図に沿って予約実行時には必ず機器があらかじめ選択されている状態になり、あらかじめ機器が選択されていないことが原因で予約失敗しなくなるという効果を発揮する。
【発明を実施するための最良の形態】
【００２６】
本明細書において、登録機器リストとは、下記図５Ｂに示すように現在テレビジョン受信装置に登録されている機器のリストのことである。選択機器リストとは、下記図５Ｃに示すように、例えば録画機器として選択されている機器のリストである。明細書・図面においては、「機器を選択する」との記載は、選択機器リストに登録することと同義である。
【００２７】
以下、本発明の一実施の形態によるデジタル放送受信装置について図面を参照しながら説明を行う。図１は、本実施の形態によるデジタル放送受信装置Ａと、これとｉＬＩＮＫ（ＩＥＥＥ１３９４）接続されたＤＶＤレコーダーＢと、を含むシステム構成例を示す図である。ｉＬＩＮＫ（ＩＥＥＥ１３９４）接続された機器は、符号Ｂ’で示されるように、複数の機器が接続されていても良い。デジタル放送受信装置ＡとＤＶＤレコーダーＢとは、ＩＥＥＥ１３９４ケーブルによりＩＥＥＥ１３９４端子５とＩＥＥＥ１３９４端子５５とを介して接続されており、双方向に通信が可能である。
【００２８】
図２は、デジタル放送受信装置Ａの一構成例を示す図である。図２に示すように、デジタル放送受信装置Ａは、アンテナ１と、デジタル放送受信部３と、ＩＥＥＥ１３９４インターフェイス部５と、信号処理部７と、デコーダ部１１と、リモコン受光部１５と、スピーカ２１、ディスプレイ２３と、音声信号処理部２５、映像信号処理部２７と、ＲＯＭ１８・ＲＡＭ１９、ＮＶＲＡＭ（不揮発メモリ）２０と、電子番組表取得部３１、バスラインを介して全体を制御する制御部（ＣＰＵ）１７と、を備えている。ＲＡＭ１９やＮＶＲＡＭ（不揮発メモリ）２０には、後述する登録機器リストと選択機器リストとが記録されている。
【００２９】
図３は、ＤＶＤレコーダーＢの一構成例を示す図である。図３に示すように、ＤＶＤレコーダーＢは、アンテナ４１と、チューナ４３と、ＩＥＥＥ１３９４インターフェイス部５５と、信号処理部４５と、全体を制御する制御部４７と、リモコン受光部５１と、記憶部５３と、電子番組表取得部５７と、光ディスク起動部６３と、操作部６７と、を有している。
【００３０】
図４は、デジタル放送受信装置Ａを操作するためのリモコン装置の一例を示す図である。図４に示すように、リモコン装置Ｃは、操作面７１に設けられている操作ボタン７３と、リモコン信号出射部７５と、方向キー８１及び決定キー７９を有するキー操作部７７と、ｉＬＩＮＫキー８３と、を有している。
【００３１】
以下、上記構成に基づく接続機器選択処理について説明する。図５Ａは、デジタル放送受信装置Ａのディスプレイ２３への表示例を示す図である。まず、デジタル放送受信装置ＡとＤＶＤレコーダーＢとをｉＬＩＮＫ接続すると、相互に通信を行い、デジタル放送受信装置ＡのＲＡＭ１９内に、接続されているｉＬＩＮＫ機器のＩＤ等が記憶される。
【００３２】
図４に示すリモコン装置のｉＬＩＮＫキー８３を押すと、図５Ａ（Ａ）に示すように、表示画面２３の表示物１０３の上に機器選択パネル１０１が表示される。この機器選択パネル１０１には、例えば、テレビジョン受信装置Ａに接続されている２つのｉＬＩＮＫ録画機器１０１ａ、１０１ｂの名前等の属性が機器選択パネルとしてリスト表示される。ここで、例えばｉＬＩＮＫ録画機器１０１ａの方をリモコン装置で選択すると、図５Ａ（ｂ）に示すように、選択された録画機器の操作パネルがＧＵＩ表示される。このＧＵＩ操作パネル１０５により、電源のオン・オフ（１０７）、再生・停止・巻き戻し・早送り等の操作（１１１）・他の機器の選択などの操作１１３をリモコン装置Ｃのキー操作部７７を用いて行うことができるようになっており便利である。このＧＵＩ操作パネル１０５は、例えば自由に拡大縮小等が可能になっていても良く、別の番組を視聴しながら、録画機器の進行状況をタイマなどにより確認することができる。
【００３３】
尚、機器選択パネル１０１内にも、機器選択解除ボタン１０４を設けていても良い。符号１０２ａ・１０２ｂで示される数字は、それぞれのｉＬＩＮＫ録画機器における記憶残容量が目安として示されている。ユーザは、録画対象機器を選択する際に、録画コンテンツの容量と、この記憶残容量とを比較して、いずれのｉＬＩＮＫ機器を選択するかを決めることもできる。図５Ｂは、ＲＡＭ１９または不揮発メモリ２０に記録される登録機器リストの一例を示す図であり、図５Ｃは選択機器リストの一例を示す図である。これらについては、後述するが、例えば、図５Ａ（ａ）の機器選択パネル１０１に機器が表示されるケースは、図５Ｂ（ｃ）のように登録機器リストに機器が登録されている場合である。また、リモコン装置の機器選択解除ボタン１０４を押すことにより、図５Ｃ（ｂ）のように機器が選択されている状態から図５Ｃ（ａ）のように機器が選択されていない状態にすることができる。
【００３４】
図６は、本実施の形態によるデジタル放送受信装置Ａを視聴中の処理の流れを示すフローチャート図である。図６に示すように、まず、ステップＳ１において視聴中の処理を開始し、ステップＳ２において、リモコン装置からの入力を待つ。ステップＳ３において、押されたキーはｉＬｉｎｋキー８３であるか否かを判定する。押されたキーがｉＬｉｎｋキーでなければ（ＮＯ）、ステップＳ４に進み、押されたキーに対応する処理を行う。ＹＥＳの場合（ｉＬＩＮＫキー８３が押された場合）には、ｉＬＩＮＫ録画機器による手動録画などに向けての操作を行うことになり、ステップＳ５に進み、まず第１に、ｉＬＩＮＫ録画機器は選択済みか否かを図５Ｃの機器選択リストを参照して判定する。図５Ｃ（ａ）に示すように、機器選択リストにｉＬＩＮＫ録画機器が選択されていなければ（ＮＯ）、ステップＳ６に進み、機器選択パネル１０１（図５Ａ）を表示させ、ユーザからの録画機器の選択・決定操作を促す。ユーザからの録画機器の選択・決定操作がリモコン装置により行われると（この場合は、図５Ａの１０１ｃの機器が選択されたとする）、図５Ｂ（ｃ）に示す機器登録リストを参照し、選択・決定が行われた機器について登録機器リストから機器名を取得し、図５Ｃ（ｂ）に示すように、当該機器名を選択機器リストに記憶させる。これにより、後の処理において、選択機器の有無及び選択機器名を選択機器リストによりいつでも参照することができる。
【００３５】
次いで、ステップＳ７に進み、選択されている録画機器についての操作パネルを図５Ａ（ｂ）に示すように表示させ、ステップＳ８においてリモコン入力を待ち、ステップＳ９において、カーソルが機器選択ボタン１１３上であり、かつ、リモコン装置において決定キーが押されたか否かを判定する。ここで、ＹＥＳの場合には、ステップＳ１２に進み操作パネル１０５を表示画面から消去し、ステップＳ６に戻る。ＮＯの場合はステップＳ１０に進み、リモコン装置において押されたキーは「終了」か否かを判定する。ＹＥＳの場合にはステップＳ１３に進み、操作パネルを消去し、ステップＳ２に戻り、リモコン装置の次の入力を待つ。ＮＯの場合には、ステップＳ１１に進み、リモコン装置で押されたキーに対応する処理（例えばカーソルキーが押されたら、操作パネル１０５上に存在するカーソルを移動したり、また例えば、操作パネル１０５上の録画ボタン上にカーソルが存在する状態で決定キーを押すと、選択されている機器で録画を行ったりする）を行い、ステップＳ８に戻り、リモコン装置での次の入力を待つ。以上の処理により、ｉＬＩＮＫ録画機器を選択していない状態においても、ｉＬＩＮＫ録画機器を選択する処理が行われし選択機器リストに登録することができる。そして、選択された機器を用いて録画、再生などを行うことができる。
【００３６】
図７は、デジタルテレビジョン受信装置ＡのＥＰＧ画面からｉＬＩＮＫ録画予約の登録が行われる様子を示す図である。図７（Ａ）に示すように、表示画面２３のＥＰＧ表示１２１において、ある番組にカーソル（フォーカス）１２３を当て、決定ボタンを押すと、図７（Ｂ）に示すように、予約された番組名とｉＬＩＮＫ予約された旨の表示１２７がＬＩＮＫ録画予約確認画面１２５上に表示され、ユーザにその旨を知らせることができる。
【００３７】
このときの処理について図９を参照しながら説明を行う。図９は、本実施の形態によるデジタル放送受信装置のＥＰＧからデジタル放送受信装置にｉＬＩＮＫ接続されている録画機器へのｉＬＩＮＫ録画予約に関する処理の一例を示す図である（図７も参照し説明する）。図９に示すように、まず、ステップＳ４１において、ＥＰＧ表示中の処理を開始する。ステップＳ４２においてリモコン入力を待ち、ステップＳ４３において、リモコン装置で押されたキーは「終了」であるか否かを判定する。「終了」が押された場合には（ＹＥＳ）、ステップＳ４４に進み、ＥＰＧを表示画面から消去し、ステップＳ４５で処理を終了する。
【００３８】
リモコンキー入力が「終了」でない場合には（ＮＯ）、ステップＳ４６において、番組開始時刻が例えば規定の時間である５分後以降である番組の上にカーソルがあり、かつ、リモコン装置の「決定」キーが押されたか否かを判定する。判定の結果、該当しなければ（ＮＯ）、ステップＳ４７に進み、リモコン装置で押されたキーに対応する処理を行い、ステップＳ４２に戻る。ステップＳ４６においてＹＥＳであれば、ステップＳ４８に進み、カーソルで選択されていた番組に関するｉＬＩＮＫ録画予約を登録する（メモリに記憶する）。次いで、ステップＳ４９に進み、図７（Ｂ）に示すように、ＬＩＮＫ録画予約確認画面１２５をテレビジョン受信装置の表示画面に表示させる。
【００３９】
次のリモコン入力をステップＳ５０において待ち、ステップＳ５１において、押されたリモコンキーは「戻る」であるか否かを判定する。押されたキーが「戻る」の場合には（ＹＥＳ）、ステップＳ５２においてＥＰＧ表示を行い、ステップＳ４２に戻って、新たなリモコン入力を待つ。
【００４０】
図８は、このようにして登録したｉＬＩＮＫ録画予約が実際に実行される処理の流れを示すフローチャート図である。まず、ステップＳ２１において、処理を開始し、ステップＳ２２において、例えば予約時間開始２分前（処理が機器内部で開始される時間）まで待つ。次いで、ステップＳ２３において、テレビジョン受信装置は、ｉＬＩＮＫ録画機器が予め選択されているか否かを図５Ｃの選択機器リストを参照することで判定する。ここで、図５Ｃ（ａ）に示すようにｉＬＩＮＫ録画機器が選択されていない場合には（ＮＯ）、ステップＳ２４に進み処理を終了する。
【００４１】
尚、通常、ユーザは録画予約の登録をした後にテレビジョン受信装置の電源をオフにして放置する。但し、実際には、本当にテレビの電源がオフになるわけではなく、表示画面が消えることで、見た目として電源オフのように動作している状態であり、バックグランドで図８に示す処理が動作し予約を実行している。ステップＳ２３で、録画機器が予め選択されていない場合、テレビの電源がオフであれば自動的にオンにして、上記のような選択画面を出して機器の選択をユーザーに対して促したとしても、ユーザはテレビの近くにはいないことがほとんどであるため、希望の番組が始まるまでにユーザが録画機器を選択していないことに気が付いて録画機器を選択する操作をすることは稀である。そこで、本実施の形態では、図１０以降において説明するような処理を行わせることにしている。
【００４２】
図５Ｃ（ｂ）に示すようにｉＬＩＮＫ録画機器が選択されている場合には（ＹＥＳ）、ステップＳ２５に進み、選択されているｉＬＩＮＫ録画機器の電源がＯＦＦであればＯＮにする。ステップＳ２６において予約番組を選局し、ステップＳ２７において予約番組開始の例えば１０秒前（余裕をみて１０秒などの期間を規定している）まで待ち、ステップＳ２８において、テレビジョン受信装置は、選択されているｉＬＩＮＫ録画機器に録画コマンドを送る。ステップＳ２９において予約番組の録画終了まで待ち、ステップＳ３０において、テレビジョン受信装置は、選択されているｉＬＩＮＫ録画番組に録画停止コマンドを送る。ステップＳ３１において、選択されているｉＬＩＮＫ録画機器の電源をオフにし、ステップＳ３２においてｉＬＩＮＫ録画予約処理を終了する。
【００４３】
以下の、本発明の実施の形態によるデジタル機器技術の特徴である、予めｉＬＩＮＫ録画機器が選択されていない場合に録画機器を接続した際の自動選択機能について詳細に説明する。図１から図９までも適宜参照する。
【００４４】
図１０は、本発明の第１の実施の形態によるｉＬＩＮＫ録画機器が選択されていない場合に録画機器を接続した際の自動選択処理の一例を示すフローチャート図である。図１０に示すように、まず、機器認識処理が開始されると（ステップＳ６１）、ステップＳ６２において、ＩＥＥＥ１３９４インターフェイス部５によってテレビジョン受信装置に接続されている全てのｉＬＩＮＫ録画機器を認識する。
【００４５】
ここで、例えばユーザの操作などにより、テレビジョン受信装置に接続されているｉＬＩＮＫ録画機器を図５Ｂに示す登録機器リストに基づいて知ることができる。図５Ｂ（ａ）は、登録機器リストに機器が登録されていない状態を示す図である。図５Ｂ（ｂ）は、登録機器リストに１台のｉＬＩＮＫ録画機器（第１の録画機器）が登録されている状態を示す図である。図５Ｂ（ｃ）は、登録機器リストにさらに１台のｉＬＩＮＫ録画機器（第２の録画機器）が追加登録された状態を示す図である。図５Ｂ（ｄ）は、第１の録画機器の登録が削除された状態を示す登録機器リストである。図５Ｂ（ｅ）は、第２の録画機器の登録も削除され、機器がリストに登録されていない状態を示す登録機器リストである。図５Ｂ（ｆ）は、図５Ｂ（ｅ）から別のｉＬＩＮＫ録画機器（第３の録画機器）が新たに登録された状態を示す図である。
【００４６】
ステップＳ６３では登録機器リストの内容とステップＳ６２での機器認識結果とを比較し、いままで接続されていた機器が外されたことを検出すると、ステップＳ６３から（ＹＥＳ）の方のステップＳ６４に進む。そしてステップＳ６４において、外された機器を登録機器リストから削除する（図５Ｂでは、例えば、（ｃ）から（ｄ）、（ｅ）へ進む場合が該当する）。機器が外されたことが検出されなければ（ＮＯ）、ステップＳ６５に進む。ステップＳ６５においては、登録機器リストの内容とステップＳ６２での機器認識結果を比較し、新たな機器が接続されたか否かを判定する。新たな機器が接続されていない場合には、ステップＳ６２に戻る。新たな機器が接続されると（ＹＥＳ）、ステップＳ６６に進む。ステップＳ６６においては、ｉＬＩＮＫ録画機器が選択済みであるか否かを図５Ｃに示す選択機器リストを参照して判定する。選択済みである場合には（ＹＥＳ）、ステップＳ６７に進み、ステップＳ６５において新たに接続されたと判定された機器を、図５Ｂ（ｆ）に示すように登録機器リストに登録し、ステップＳ６２に戻る。選択済みでない場合には（ＮＯ）、ステップＳ６８に進み、新たに接続された機器を登録機器リストに登録し、次いで、ステップＳ６９において、新たに接続された機器をｉＬＩＮＫ録画機器として自動的に選択する（この場合に、選択機器リストには、当該機器が登録される）。これは、ユーザが直前にテレビジョン受信装置に接続した機器がｉＬＩＮＫ録画機器である蓋然性が高いことに基づく処理である。以上のように、選択機器リストのみを参照し、機器が選択済みでない場合には、新たに接続された機器が認識されると、当該機器を機器として選択することにより、予約実行時に予約録画処理ができなくなることがなくなるという利点がある。
【００４７】
このように、デジタル放送受信装置において、予め機器が選択されていない状態において機器の接続が認識された場合に、この接続された機器を自動的に録画予約に用いる機器として選択する処理を予め行うことにより、予約実行時までに機器を接続しておけば、予約実行時には必ず機器があらかじめ選択されている状態になり、あらかじめ機器が選択されていないことが原因で予約失敗することがなくなるという効果を発揮する。
【００４８】
次に、本発明の第２の実施の形態による機器認識技術について図面を参照しながら説明を行う。図１１は、本実施の形態による機器認識処理の流れを示すフローチャート図である。図１１に示すように、本実施の形態による機器認識処理は、まずステップＳ７１において機器認識処理を開始すると、ステップＳ７２において、テレビジョン受信装置に接続されているｉＬＩＮＫ録画用の機器を認識する。次いで、ステップＳ７３において、接続された機器が外されたか否かを判定する。外された場合には（ＹＥＳ）、ステップＳ７４に進み、外された機器を登録機器リストから削除し（例えば図５Ｂ（ｄ）参照）、ステップＳ７２に戻る。ステップＳ７３で接続された機器が外されていないと（ＮＯ）、ステップＳ７５において、新たに機器が接続されたか否かを判定し、ＮＯの場合には、ステップＳ７２に戻る。ＹＥＳの場合には、ステップＳ７６に進み、登録機器リストに登録されている機器がないか否か（空であるか否か）を判定する。登録機器リストが空でない場合には（ＮＯ）、ステップＳ７７に進み、新たに接続された機器を登録機器リストに登録しステップＳ７２に戻る。登録機器リストが空の場合には（ＹＥＳ）、ステップＳ７８に進み、新たに接続された機器を登録機器リストに登録し、ステップＳ７９に進み、新たに接続された機器を自動的に選択し、ステップＳ７２に戻る。このように、本実施の形態によれば、登録機器リストのみを参照し、それが空の場合には、ステップＳ７５で新たに登録された機器のみしか選択すべき機器がないことから、必然的に新たに接続された機器を自動的に選択される。この場合には、選択機器リストにおいて別の機器が選択されていても、新たに接続された機器の方を選択する機器とする。
【００４９】
このように、本発明によれば、デジタル放送受信装置において、予め機器が認識されていない状態のなかで機器の接続が認識された場合に、この機器を自動的にあらかじめ選択するので、予約実行時までに機器を接続しておけば、予約実行時には必ず機器があらかじめ選択されている状態になり、あらかじめ機器が選択されていないことが原因で予約失敗しなくいという効果を発揮する。
【００５０】
尚、上記第１の実施の形態では、ユーザが機器選択解除ボタンを押して機器選択を解除した場合、すなわち選択機器リストを図５Ｃ（ａ）のように空にした場合は、登録機器リストがどのような状態であったとしても、その後にｉＬＩＮＫ機器を接続すれば、その機器が本実施例の仕組みにより、ユーザが望まない場合でも接続されたｉＬＩＮＫ機器が自動的に選択されてしまうという第１の問題がある。
【００５１】
また、上記第２の実施の形態では、ユーザーがテレビに接続されている機器を全て外した場合、すなわち、登録機器リストを図５Ｂ（ａ）や図５Ｂ(ｅ)の状態にした場合は、既に機器を選択済みであったとしても（図５Ｃ（ｂ））、その後にｉＬＩＮＫ機器を接続すれば、その機器が本実施例の仕組みにより、ユーザが望まなくとも自動的に選択されてしまう（選択機器が変更される）という第２の問題がある。また、ユーザがテレビに接続されている機器のコンセントを抜いた場合に、テレビにおいては、機器の接続が外されたと認識されるため、その後にコンセントを入れたｉＬＩＮＫ機器を接続すれば同様に自動選択されてしまうという問題がある。下記に示す第３の実施の形態は、上記の第１・第２の問題点を解決する例を示すものである。
【００５２】
次に、本発明の第３の実施の形態による機器認識技術について図面を参照しながら説明を行う。図１２は、本実施の形態による機器認識処理の流れを示すフローチャート図である。図１２に示すように、本実施の形態による機器認識処理は、まずステップＳ８１において機器認識処理を開始すると、ステップＳ８２において、デジタル受信装置に接続されている機器を認識する。次いで、ステップＳ８３において、接続されている機器が外されたか否かを判定する。ＹＥＳの場合には、ステップＳ８４に進み、外された機器を登録機器リストから削除し、ステップＳ８２に戻る。ＮＯの場合には、ステップＳ８５に進み、新たな機器が接続されたか否かを判定する。ＮＯの場合には、ステップＳ８２に戻る。ＹＥＳの場合には、ステップＳ８６に進む。ここで、登録機器リストと選択機器リストの両方を参照する。ここで、登録機器リストが空でないか、又は、選択機器リストが選択済みである場合には、ステップＳ８７に進み、新たに接続された機器を登録機器リストに登録し、ステップＳ８２に戻る。登録機器リストが空であり、かつ、選択機器が未選択の場合には、ステップＳ８８に進み新たに接続された機器を登録機器リストに登録する。次いで、ステップＳ８９において、新たに接続された機器を自動的に選択し、ステップＳ８２に戻る。
【００５３】
本実施の形態では、上記第１の問題点や第２の問題点を解決することができる。すなわち、ユーザが望まない機器が勝手に選択されたり、ユーザが望まない機器に選択が変更されたりすることを防ぐことができる。
【００５４】
例えば、ユーザが機器選択解除ボタンを押して機器選択を解除した場合であっても、接続されている機器を全て外して登録機器リストを図５Ｂ（ａ）や図５Ｂ（e）の状態にしない限り、その後、望まない機器を接続して自動的に選択されてしまうことがない。
【００５５】
また、別の例として、ユーザーが接続されている機器のコンセントを全て抜いて登録機器リストが図５Ｂ（ａ）や図５Ｂ（e）の状態になっている場合であっても、機器選択解除ボタン１０４を押して機器選択を解除しない限りは、すなわち、選択機器リストを図５Ｃ（ａ）の状態にしない限りは、その後に、ユーザが望まない機器を接続して自動的に選択される、すなわち、今までの選択が自動的に変更されることがないという利点がある。
【００５６】
このように、機器が接続されたか否かにかかわらず、登録機器リストが空でないか、或いは、選択機器リストが選択済みでさえあれば、ｉＬＩＮＫ録画機器のコンセントが抜かれ、接続されていないように認識される機器があった場合でも、テレビジョン受信装置との間の接続ケーブルが接続されていれば、コンセントを入れただけで、登録機器リストに登録されることで機器が認識されるように制御される。すなわち、登録機器リストが空でないか、或いは、選択機器リストが選択済みであるか、のいずれか一方のみの条件さえ満たせば、新たに接続された機器を登録機器リストに登録させることにより機器を認識させることができる。
【００５７】
また、本発明によれば、デジタル放送受信装置において、予め機器が認識されているか、又は、選択されている状態のなかで機器の接続が認識された場合に、この機器を登録機器リストに登録する処理のみを行うことから、当初の意図に沿って予約実行時には必ず機器があらかじめ選択されている状態になり、あらかじめ機器が選択されていないことが原因で予約失敗しなくなるという効果を発揮する。
【００５８】
次に、本発明の第４の実施の形態による機器認識技術について図面を参照しながら説明を行う。本実施の形態は、上記第１の実施の形態に関連するものであり、新たに接続されたｉＬＩＮＫ機器がＡＶレコーダなどの録画用の機器であるか否かを判定する点に特徴がある。ステップＳ９１において機器の認識処理に入り、ステップＳ９２において、接続されている機器を認識する。ステップＳ９３において、接続されていた機器が外されたか否かを判定する。ＹＥＳの場合には、ステップＳ９４に進み、外された機器を登録機器リストから削除し、ステップＳ９２に戻る。接続された機器が外されていない場合には（ＹＥＳ）、ステップＳ９５に進み、新たな機器が接続されたか否かを判定する。
【００５９】
新たな機器が接続されていない場合には、ステップＳ９２に戻る。新たな機器が接続されると（ＹＥＳ）、ステップＳ９６に進む。ステップＳ９６においては、新たに接続された機器の種別がいわゆるＡＶ用レコーダであるか否かを判定する。ここでいう、ＡＶ用レコーダとは、ｉＬＩＮＫ機器のなかで、デジタルＶＨＳ機器、外付けハードディスク機器（ＡＶＨＤＤ）、又はＢＤ（ブルーレイディスクレコーダ）などの録画用ＡＶレコーダを指す。ステップＳ９６でＮＯ（ＡＶレコーダでない）の場合には、ステップＳ９７に進む。この場合のＡＶレコーダでないとは、ｉＬＩＮＫ機器のなかで、録画に対応しないプレーヤなどが該当する。例えば、ＨＤＶなどのハイビジョン用デジタルムービーについては、本例のテレビの仕様では再生プレーヤとして扱われ、これに該当する（もちろんHDVムービーの機能として録画は出来るが、本例のテレビの仕様としては接続したHDV機器を再生機として扱いテレビの受信内容をHDVに録画することは出来ない）。他にも、専用プレーヤなどの録画に対応しないプレーヤなどが該当する。
【００６０】
ステップＳ９６の判定で、ＮＯの場合にはステップＳ１０１に進み、この機器は再生には用いることができるので、この新たに接続された機器を登録機器リストに登録し、ステップＳ９２に戻る。ＹＥＳの場合には、新たに接続された機器が録画に用いることができるので、ステップＳ９７に進み、機器選択リストを参照しながら機器は選択済みであるか否かを判定し、選択済みの場合（ＹＥＳ）にはそのまま用いることができるため、ステップＳ９８に進み、新たに接続された機器を登録機器リストに登録し、ステップＳ９２に戻る。但し、この機器は、現在は選択されていないので、自動的にこの機器を予約録画用の機器として選択せずに、現在選択されている機器が予約録画用の機器として選択されている状態である。尚、ここで、リモコン装置のｉＬＩＮＫボタン８３を押して、操作パネルの機器選択ボタン１１３にカーソルを合わせ、決定キーを押すことで表示される機器選択パネル１０１において、選択機器の変更が可能である（図６のステップＳ６参照）。ステップＳ９７において、機器が選択されていない場合には（ＮＯ）、ステップＳ９９に進み、新たに接続された機器を登録機器リストに登録し、ステップＳ１００において、新たに接続された機器を自動的に選択リストにおいて選択機器とし、ステップＳ９２に戻る。以上の処理によりにより、新たに接続された機器がｉＬＩＮＫ機器であっても、予約録画可能な機器であるか否かによって、ＹＥＳの場合には他の機器が選択されていない場合にはその機器を登録し、他の機器が選択されていない場合には新たに接続された機器を選択するようにして予約録画が失敗しないようにすることができ、ＮＯの場合には、単に新たに接続された機器を登録機器リストに登録することにより、次に用いることも可能とする。
【００６１】
次に、本発明の第５の実施の形態による機器認識技術について図面を参照しながら説明を行う。本実施の形態は、上記第２の実施の形態に関連するものであり、その中で、新たに接続されたｉＬＩＮＫ機器がＡＶレコーダなどの録画用の機器であるか否かを判定する点に特徴がある。ステップＳ１１１において、機器の認識処理に入り、ステップＳ１１２において、接続されている機器を認識する。ステップＳ１１３において、接続されていた機器が外されたか否かを判定する。ＹＥＳの場合には、ステップＳ１１４に進み、外された機器を登録機器リストから削除し、ステップＳ１１２に戻る。接続された機器が外されていない場合には（ＹＥＳ）、ステップＳ１１５に進み、新たな機器が接続されたか否かを判定する。新たな機器が接続されていない場合には（ＮＯ）、ステップＳ１１２に戻る。新たな機器が接続されると（ＹＥＳ）、ステップＳ１１６に進む。ステップＳ１１６においては、上記のように、新たに接続された機器の種別がいわゆるＡＶ用のレコーダであるか否かを判定する。
【００６２】
ステップＳ１１６の判定で、ＮＯの場合にはステップＳ１１７に進み、この機器は再生には用いることができるので、この新たに接続された機器を登録機器リストに登録し、ステップＳ１１２に戻る。ＹＥＳの場合には、新たに接続された機器が録画に用いることができるので、ステップＳ１１８に進み、登録機器リストを参照しながら登録されているｉＬＩＮＫ機器の中で、デジタルＶＨＳ機器、外付けハードディスク機器（ＡＶＨＤＤ）、又はＢＤ（ブルーレイディスクレコーダ）などの録画用ＡＶレコーダが登録機器リストに登録されているか否かを判定する。ＹＥＳの場合には、ステップＳ１１９に進み、新たに接続された機器を登録機器リストに登録し、ステップＳ１１２に戻る。
【００６３】
尚、図１０から１６までに記載の処理は、機器を認識し、登録機器リストをメンテナンスするための処理を示す図である。図１０から図１５まででは、従来の処理である図１６の処理に対してステップＳ６９、Ｓ７９、Ｓ８９、Ｓ１００、Ｓ１２１、Ｓ１４１の処理を追加して自動的に選択される機能を付加している。
【００６４】
ステップＳ１１８でＮＯの場合には、まず、ステップＳ１２０において、新たに接続された機器を登録機器リストに登録した後に、ステップＳ１２１に進み、当該機器を選択機器リストにも自動的に登録してステップＳ１１２に戻る。
【００６５】
以上の処理により、新たに接続された機器がｉＬＩＮＫ機器であっても、それが予約録画可能なｉＬＩＮＫ機器でない場合には、その機器は単に登録機器リストに登録するのみで、選択機器とはしない。一方、新たに接続された機器がｉＬＩＮＫ機器であって、かつ、それが予約録画可能なｉＬＩＮＫ録画機器である場合には、すでに登録されている登録機器リスト中にｉＬＩＮＫ録画機器が１つ以上存在するか否かにより、登録機器リストに登録するのみか、登録した後に新たに接続された機器を選択機器として選択する処理を行うかを決定することにより、いずれの場合でも、予約録画処理の失敗を防止することができる。
【００６６】
次に、本発明の第６の実施の形態による機器認識処理について図面を参照しながら説明を行う。図１５に示すように、まず、ステップＳ１３１において機器認識処理を開始すると、ステップＳ１３２において接続されている機器を認識する。次いで、ステップＳ１３３において、接続されていた機器が外されたか否かを判定し、ＹＥＳの場合にはステップＳ１３４に進み、外された機器を登録機器リストから削除し、ステップＳ１３２に戻る。ステップＳ１３３においてＮＯの場合には、ステップＳ１３５に進み、機器が新たに接続されたか否かを判定し、この判定の結果がＮＯの場合には、ステップＳ１３２に戻る。ＹＥＳの場合には、ステップＳ１３６に進み、新たに接続された機器の種類は、ＤＶＨＳ、又は、ＡＶＨＤＤ又はＢＤなどのＡＶレコーダであるか否かを判定する。ＮＯの場合には、録画機能を有していない機器が接続された機器であるため、ステップＳ１３７に進み、新たに接続された機器を登録機器リストに単に登録し、ステップＳ１３２に戻る。ステップＳ１３６でＹＥＳの場合には、ステップＳ１３８において、１）機器は選択済みか否かを機器選択リストを参照して判定するとともに、２）登録機器リストに登録されている機器の種類がＤＶＨＳ又はＡＶＨＤＤ又はＢＤなどのＡＶレコーダである機器が１つ以上存在するかを判定する。上記１）又は２）の条件のいずれかが充足されれば（ＹＥＳ）、ステップＳ１３９に進み、新たに接続された機器を登録機器リストに登録し、ステップＳ１３２に戻る。
【００６７】
上記１）、２）のいずれの条件も充足されない場合には（ＮＯ）、ステップＳ１４０に進み、新たに接続された機器を登録機器リストに登録し、ステップＳ１４１において新たに接続された機器を自動的に選択機器リストに登録することで、接続された機器を録画機器として選択することができる。
【００６８】
以上のように、新たに接続された機器の種類がＡＶレコーダの場合であって、機器は選択済み又は登録機器リストにＡＶレコーダが登録されている場合には、新たに接続された機器は登録機器リストに登録するのみであり、機器は選択済みでもなくかつ登録機器リストにＡＶレコーダが登録されていない場合には、新たに接続された機器を登録機器リストに登録し、次いで、その機器を選択リストに登録することで、いずれの場合にも選択機器が存在することになり、予約録画の失敗がなくなる。
【００６９】
以上に説明したように、ｉＬＩＮＫ録画予約実行時に、予め選択されている録画機器を用いてｉＬＩＮＫ録画を行うデジタル放送受信装置において、
尚、上記実施の形態においては、ｉＬＩＮＫ録画予約実行を例にして説明したが、その他、機器間の双方向通信により録画予約を行う仕組みを持つ、例えば、ＨＤＭＩ接続機器などにおいても、同様の方法により上記の利点をもたらすことができる。また、上記の例では、登録機器については登録機器リストを参照することにより、選択機器については選択機器リストを参照することにより、確認する手法について例示したが、その他、フラグを付して登録・選択の有無を記憶するなど種々の記録方法があることは言うまでもない。
【産業上の利用可能性】
【００７０】
本発明は、ｉＬＩＮＫ機器に接続可能なデジタル放送受信装置に利用可能である。
【図面の簡単な説明】
【００７１】
【図１】本発明の一実施の形態によるデジタル放送受信装置Ａと、これとｉＬＩＮＫ（ＩＥＥＥ１３９４）接続されたＤＶＤレコーダーＢと、を含むシステム構成例を示す図である。
【図２】デジタル放送受信装置の一構成例を示す図である。
【図３】ＤＶＤレコーダーの一構成例を示す図である。
【図４】デジタル放送受信装置を操作するためのリモコン装置の一例を示す図である。
【図５Ａ】デジタル放送受信装置Ａのディスプレイへの表示例を示す図である。
【図５Ｂ】登録機器リストの登録例を示す図である。
【図５Ｃ】選択機器リストの一例を示す図である。
【図６】本実施の形態による視聴中の処理の流れを示すフローチャート図である。
【図７】テレビジョン受信装置のＥＰＧ画面からｉＬＩＮＫ録画を行う様子を示す図である。
【図８】ｉＬＩＮＫ録画予約処理の流れを示すフローチャート図である。
【図９】録画機器を選択することを促す録画機器選択画面等の例である。
【図１０】本発明の第１の実施の形態による機器認識処理の流れを示すフローチャート図である。
【図１１】本発明の第２の実施の形態による機器認識処理の流れを示すフローチャート図である。
【図１２】本発明の第３の実施の形態による機器認識処理の流れを示すフローチャート図である。
【図１３】本発明の第４の実施の形態による機器認識処理の流れを示すフローチャート図である。
【図１４】本発明の第５の実施の形態による機器認識処理の流れを示すフローチャート図である。
【図１５】本発明の第６の実施の形態による機器認識処理の流れを示すフローチャート図である。
【図１６】従来の技術におけるデジタル放送受信装置のＥＰＧからデジタル放送受信装置にｉＬＩＮＫ接続されている録画機器へのｉＬＩＮＫ録画予約に関する処理の一例を示す図である。
【符号の説明】
【００７２】
Ａ…デジタル放送受信装置、Ｂ…ＤＶＤレコーダー、５…入力端子、５５…出力端子。
【図１】
2009225185.tif 000003
【図２】
2009225185.tif 000004
【図３】
2009225185.tif 000005
【図４】
2009225185.tif 000006
【図５Ａ】
2009225185.tif 000007
【図５Ｂ】
2009225185.tif 000008
【図５Ｃ】
2009225185.tif 000009
【図６】
2009225185.tif 000010
【図７】
2009225185.tif 000011
【図８】
2009225185.tif 000012
【図９】
2009225185.tif 000013
【図１０】
2009225185.tif 000014
【図１１】
2009225185.tif 000015
【図１２】
2009225185.tif 000016
【図１３】
2009225185.tif 000017
【図１４】
2009225185.tif 000018
【図１５】
2009225185.tif 000019
【図１６】
2009225185.tif 000020